(57)【要約】      （修正有）【課題】運営コストの削減によってユーザが低料金でシステムを導入・使用することができ、しかも、ユーザの住宅の所在地等に拘わらずサービスを提供することが可能なセキュリティシステムを得る。【解決手段】セキュリティシステム１は、サーバ装置１２、監視装置８Ａ、及び携帯電話９を備える。監視装置８Ａは、モード制御部によって監視モードに設定されることにより、カメラによって撮像した画像を、データ通信部から通信ネットワーク１１を介してサーバ装置１２に送信する。これにより、携帯電話９は、監視エリアの画像をサーバ装置１２から取得して当該画像をディスプレイに表示可能となる。また、監視装置８Ａは、モード制御部によって監視解除モードに設定されることにより、データ通信部によるサーバ装置１２への画像の送信を停止する。【選択図】図１
2012150592.tif 000002
【特許請求の範囲】
【請求項１】
サーバ装置と、
所定の監視エリア内に配置され、通信ネットワークを介して前記サーバ装置に接続された監視装置と、
前記サーバ装置と通信可能であり、画像を表示する表示部を有する制御端末と、
を備え、
前記監視装置は、
前記監視エリアの画像を撮像する撮像部と、
前記通信ネットワークを介して前記サーバ装置と通信を行うデータ通信部と、
前記監視装置の動作モードを、前記監視エリアの監視を行う監視モード及び前記監視エリアの監視を行わない監視解除モードのいずれかに設定するモード制御部と、
を有し、
前記モード制御部によって前記監視モードに設定されることにより、前記撮像部によって撮像した画像を、前記データ通信部から前記通信ネットワークを介して前記サーバ装置に送信し、
前記モード制御部によって前記監視解除モードに設定されることにより、前記データ通信部による前記サーバ装置への画像の送信を停止し、
前記制御端末は、前記監視エリアの画像を前記サーバ装置から取得する、セキュリティシステム。
【請求項２】
前記制御端末は、前記撮像部が撮像しているリアルタイムの画像を、前記サーバ装置から取得可能である、請求項１に記載のセキュリティシステム。
【請求項３】
前記制御端末は、前記サーバ装置に蓄積されている過去の画像を、前記サーバ装置から取得可能である、請求項１又は２に記載のセキュリティシステム。
【請求項４】
前記監視エリア内に所在することによって、前記監視装置との間で無線通信を行う通信装置をさらに備え、
前記監視装置は、前記監視エリア内に所在している前記通信装置との間で無線通信を行う無線通信部をさらに有し、
前記モード制御部は、前記無線通信部が前記通信装置との間で無線通信を行っていることにより前記監視解除モードに設定し、前記無線通信部が前記通信装置との間で無線通信を行っていないことにより前記監視モードに設定する、請求項１〜３のいずれか一つに記載のセキュリティシステム。
【請求項５】
前記監視装置は、フォトフレームの外観形状を有する、請求項１〜４のいずれか一つに記載のセキュリティシステム。
【請求項６】
所定の監視エリア内に配置される監視装置であって、
前記監視エリアの画像を撮像する撮像部と、
通信ネットワークを介してサーバ装置と通信を行うデータ通信部と、
前記監視装置の動作モードを、前記監視エリアの監視を行う監視モード及び前記監視エリアの監視を行わない監視解除モードのいずれかに設定するモード制御部と、
を備え、
前記モード制御部によって前記監視モードに設定されることにより、前記撮像部によって撮像した画像を、前記データ通信部から前記通信ネットワークを介して前記サーバ装置に送信し、
前記モード制御部によって前記監視解除モードに設定されることにより、前記データ通信部による前記サーバ装置への画像の送信を停止する、監視装置。
【発明の詳細な説明】
【技術分野】
【０００１】
本発明は、所定の監視エリアを監視するためのセキュリティシステム、及びそれに用いられる監視装置に関する。
【背景技術】
【０００２】
例えば下記特許文献１には、背景技術に係るホームセキュリティシステムが開示されている。当該ホームセキュリティシステムは、ユーザの住宅内に設置されたホームサーバと、警備会社内に設置された警備センタとが、公衆電話網等のネットワークを介して相互に接続された構成を有している。ホームサーバには、セキュリティ制御器が接続されている。セキュリティ制御器には、防犯センサ及びカメラが接続されている。ユーザは、外出時に、セキュリティ制御器を警戒セットモードに設定し、帰宅時に、セキュリティ制御器を警戒解除モードに設定する。セキュリティ制御器は、警戒セットモードに設定されている時に防犯センサによって異常を検知すると、カメラによって撮影した住宅内の画像を含む通報メールを、ホームサーバに送信する。ホームサーバは、セキュリティ制御器から受信した通報メールを、ユーザが所持する携帯電話機又は警備センタに送信する。
【先行技術文献】
【特許文献】
【０００３】
【特許文献１】特許第４３５４２０６号公報
【発明の概要】
【発明が解決しようとする課題】
【０００４】
上記特許文献１に開示されたセキュリティシステムによると、ユーザの住宅において異常が検知されると、ホームサーバから警備センタに通報メールが送信される。従って、警備センタに警備員を常駐させる必要があるため、人件費等の運営コストが増大する。また、通報メールを受信した場合に警備員がユーザの住宅に直ちに駆け付けるためには、複数の警備センタを各所に点在させて設置しなければならず、各警備センタに警備員を常駐させる必要があるため、運営コストは著しく増大する。このような運営コストの増大に伴って、ユーザが警備会社に支払う契約料金も上昇するため、ユーザにとっては経済的負担が大きい。
【０００５】
また、近隣に警備センタが設置されていない地域においては、警備サービスの対象エリア外であるとして警備会社と契約することさえできない。つまり、警備センタの設置箇所の状況によって警備サービスの提供可能エリアが限定されてしまうため、警備サービスを希望するユーザにとっては不便である。
【０００６】
本発明はかかる事情に鑑みて成されたものであり、運営コストの削減によってユーザが低料金でシステムを導入・使用することができ、しかも、ユーザの住宅の所在地等に拘わらずサービスを提供することが可能なセキュリティシステム、及びそれに用いられる監視装置を得ることを目的とするものである。
【課題を解決するための手段】
【０００７】
本発明の第１の態様に係るセキュリティシステムは、サーバ装置と、所定の監視エリア内に配置され、通信ネットワークを介して前記サーバ装置に接続された監視装置と、前記サーバ装置と通信可能であり、画像を表示する表示部を有する制御端末と、を備え、前記監視装置は、前記監視エリアの画像を撮像する撮像部と、前記通信ネットワークを介して前記サーバ装置と通信を行うデータ通信部と、前記監視装置の動作モードを、前記監視エリアの監視を行う監視モード及び前記監視エリアの監視を行わない監視解除モードのいずれかに設定するモード制御部と、を有し、前記モード制御部によって前記監視モードに設定されることにより、前記撮像部によって撮像した画像を、前記データ通信部から前記通信ネットワークを介して前記サーバ装置に送信し、前記モード制御部によって前記監視解除モードに設定されることにより、前記データ通信部による前記サーバ装置への画像の送信を停止し、前記制御端末は、前記監視エリアの画像を前記サーバ装置から取得することを特徴とするものである。
【０００８】
第１の態様に係るセキュリティシステムによれば、監視装置は、モード制御部によって監視モードに設定されることにより、撮像部によって撮像した画像を、データ通信部から通信ネットワークを介してサーバ装置に送信する。これにより、制御端末は、監視エリアの画像をサーバ装置から取得して当該画像を表示部に表示可能となる。このように、監視装置が監視エリアの画像をサーバ装置に送信し、ユーザは制御端末を用いて当該画像をサーバ装置から取得する、という簡易なシステム構成とすることにより、警備センタの設置や警備員の常駐等が不要となるため、運営コストを削減することができる。その結果、ユーザは低料金でセキュリティシステムを導入・使用することが可能となる。また、警備センタの設置が不要となるため、警備センタの設置箇所の状況によってサービスの提供可能エリアが限定されることはない。その結果、ユーザの住宅の所在地等に拘わらずサービスを提供することが可能となる。また、監視装置は、モード制御部によって監視解除モードに設定されることにより、データ通信部によるサーバ装置への画像の送信を停止する。従って、ユーザが自宅に所在している時には監視解除モードに設定することにより、在宅中のユーザの画像がサーバ装置へ送信されることを回避できるため、ユーザのプライバシーを保護することが可能となる。
【０００９】
本発明の第２の態様に係るセキュリティシステムは、第１の態様に係るセキュリティシステムにおいて特に、前記制御端末は、前記撮像部が撮像しているリアルタイムの画像を、前記サーバ装置から取得可能であることを特徴とするものである。
【００１０】
第２の態様に係るセキュリティシステムによれば、制御端末は、撮像部が撮像しているリアルタイムの画像を、サーバ装置から取得可能である。従って、ユーザは、自宅内の様子を制御端末によってリアルタイムで閲覧することができるため、自宅に不審者が侵入しているか否かを事前に確認してから帰宅することができる。
【００１１】
本発明の第３の態様に係るセキュリティシステムは、第１又は第２の態様に係るセキュリティシステムにおいて特に、前記制御端末は、前記サーバ装置に蓄積されている過去の画像を、前記サーバ装置から取得可能であることを特徴とするものである。
【００１２】
第３の態様に係るセキュリティシステムによれば、制御端末は、サーバ装置に蓄積されている過去の画像を、サーバ装置から取得可能である。従って、ユーザは、自宅に不審者が侵入した形跡がある場合には、不審者が撮影されている過去の画像をサーバ装置から取得して警察等の捜査機関に提出することができ、捜査機関は当該画像を不審者の捜査に利用することができる。また、ユーザは、サーバ装置に蓄積されている過去の画像を帰宅前に閲覧することにより、留守中の自宅に不審者が侵入したか否かを確認することができ、不審者を確認した場合には、帰宅時に警察等に同行を求めることができる。
【００１３】
本発明の第４の態様に係るセキュリティシステムは、第１〜第３のいずれか一つの態様に係るセキュリティシステムにおいて特に、前記監視エリア内に所在することによって、前記監視装置との間で無線通信を行う通信装置をさらに備え、前記監視装置は、前記監視エリア内に所在している前記通信装置との間で無線通信を行う無線通信部をさらに有し、前記モード制御部は、前記無線通信部が前記通信装置との間で無線通信を行っていることにより前記監視解除モードに設定し、前記無線通信部が前記通信装置との間で無線通信を行っていないことにより前記監視モードに設定することを特徴とするものである。
【００１４】
第４の態様に係るセキュリティシステムによれば、モード制御部は、無線通信部が通信装置との間で無線通信を行っていることにより監視解除モードに設定し、無線通信部が通信装置との間で無線通信を行っていないことにより監視モードに設定する。従って、ユーザが外出時に常に自宅から持ち出す物に通信装置を取り付けることにより（例えば、小型の通信装置を埋め込んだストラップを携帯電話に装着する、カード型の小型の通信装置を財布に収納する、あるいは眼鏡のフレームに小型の通信装置を埋め込む等）、外出時には自動的に監視モードに設定され、帰宅時には自動的に監視解除モードに設定される。従って、外出や帰宅の度にユーザが手動で動作モードを切り換える必要がないため、ユーザの利便性を向上することができる。
【００１５】
本発明の第５の態様に係るセキュリティシステムは、第１〜第４のいずれか一つの態様に係るセキュリティシステムにおいて特に、前記監視装置は、フォトフレームの外観形状を有することを特徴とするものである。
【００１６】
第５の態様に係るセキュリティシステムによれば、監視装置はフォトフレームの外観形状を有する。従って、ユーザの自宅に侵入した不審者は監視装置の存在に気付きにくいため、不審者によって監視装置が破壊される事態を回避することができる。また、監視装置の設置に伴って部屋の美観が損なわれることを回避することができる。
【００１７】
本発明の第６の態様に係る監視装置は、所定の監視エリア内に配置される監視装置であって、前記監視エリアの画像を撮像する撮像部と、通信ネットワークを介してサーバ装置と通信を行うデータ通信部と、前記監視装置の動作モードを、前記監視エリアの監視を行う監視モード及び前記監視エリアの監視を行わない監視解除モードのいずれかに設定するモード制御部と、を備え、前記モード制御部によって前記監視モードに設定されることにより、前記撮像部によって撮像した画像を、前記データ通信部から前記通信ネットワークを介して前記サーバ装置に送信し、前記モード制御部によって前記監視解除モードに設定されることにより、前記データ通信部による前記サーバ装置への画像の送信を停止することを特徴とするものである。
【００１８】
第６の態様に係る監視装置によれば、監視装置は、モード制御部によって監視モードに設定されることにより、撮像部によって撮像した画像を、データ通信部から通信ネットワークを介してサーバ装置に送信する。これにより、ユーザは、制御端末を用いて、監視エリアの画像をサーバ装置から取得して当該画像を制御端末の表示部に表示可能となる。このように、監視装置が監視エリアの画像をサーバ装置に送信し、ユーザは制御端末を用いて当該画像をサーバ装置から取得する、という簡易なシステム構成とすることにより、警備センタの設置や警備員の常駐等が不要となるため、運営コストを削減することができる。その結果、ユーザは低料金でセキュリティシステムを導入・使用することが可能となる。また、警備センタの設置が不要となるため、警備センタの設置箇所の状況によってサービスの提供可能エリアが限定されることはない。その結果、ユーザの住宅の所在地等に拘わらずサービスを提供することが可能となる。また、監視装置は、モード制御部によって監視解除モードに設定されることにより、データ通信部によるサーバ装置への画像の送信を停止する。従って、ユーザが自宅に所在している時には監視解除モードに設定することにより、在宅中のユーザの画像がサーバ装置へ送信されることを回避できるため、ユーザのプライバシーを保護することが可能となる。
【発明の効果】
【００１９】
本発明によれば、運営コストの削減によってユーザが低料金でシステムを導入・使用することができ、しかも、ユーザの住宅の所在地等に拘わらずサービスを提供することが可能となる。
【図面の簡単な説明】
【００２０】
【図１】本発明の実施の形態に係るセキュリティシステムの全体構成を示す図である。
【図２】監視装置の外観を示す図である。
【図３】監視装置の外観を示す図である。
【図４】監視装置のハードウェア構成を示す図である。
【図５】監視装置のハードウェア構成を示す図である。
【図６】制御部の機能構成を示すブロック図である。
【図７】制御部の機能構成を示すブロック図である。
【図８】記憶部の記憶内容を示す図である。
【発明を実施するための形態】
【００２１】
以下、本発明の実施の形態について、図面を用いて詳細に説明する。なお、異なる図面において同一の符号を付した要素は、同一又は相応する要素を示すものとする。
【００２２】
図１は、本発明の実施の形態に係るセキュリティシステム１の全体構成を示す図である。図１に示した例において、ユーザの住宅２の部屋２Ａ内には、テレビ３Ａ、照明機器４Ａ、空調機器５Ａ、及び監視装置（機器制御装置）８Ａが設置されている。部屋２Ａは監視装置８Ａによって侵入者の有無等の監視を行う監視エリアであり、監視装置８Ａは当該監視エリア内に設置されている。照明機器４Ａは、付属のリモコン６Ａによって、赤外線を用いたリモコン信号による遠隔制御が可能である。空調機器５Ａは、付属のリモコン７Ａによって、赤外線を用いたリモコン信号による遠隔制御が可能である。
【００２３】
同様に、住宅２の部屋２Ｂ内には、テレビ３Ｂ、照明機器４Ｂ、空調機器５Ｂ、及び監視装置８Ｂが設置されている。部屋２Ｂは監視装置８Ｂによって侵入者の有無等の監視を行う監視エリアであり、監視装置８Ｂは当該監視エリア内に設置されている。照明機器４Ｂは、付属のリモコン６Ｂによって、赤外線を用いたリモコン信号による遠隔制御が可能である。空調機器５Ｂは、付属のリモコン７Ｂによって、赤外線を用いたリモコン信号による遠隔制御が可能である。
【００２４】
監視装置８Ａは、ＩＰネットワーク等の通信ネットワーク１１に接続されている。通信ネットワーク１１には、所定のサーバ装置（管理装置）１２が接続されている。また、通信ネットワーク１１には、図示しないゲートウェイ装置等を介して、携帯電話の基地局１３が接続されている。
【００２５】
図２，３は、監視装置８Ａ，８Ｂの外観をそれぞれ示す図である。監視装置８Ａ，８Ｂは、侵入者によって破壊されたり、部屋２Ａ，２Ｂの美観が損なわれることを防止すべく、一見してそれが監視装置であることが分かりにくい外観形状を有している。図２，３に示した例において、監視装置８Ａ，８Ｂは、プリントされた写真を飾るためのフォトフレームの外観形状を有している。他の例として、監視装置８Ａ，８Ｂは、装飾品、工芸品、又はぬいぐるみ等の外観形状を有していてもよい。
【００２６】
図４は、監視装置８Ａのハードウェア構成を示す図である。監視装置８Ａは、ＣＰＵ等の制御部２０Ａ、データ通信部２１Ａ、信号送受信部２２Ａ、無線通信部２３Ａ、スイッチ２４Ａ、ＣＣＤ等を用いたカメラ２５Ａ、マイク２６Ａ、及び半導体メモリ等の記憶部２７Ａを備えて構成されている。監視装置８Ａは、部屋２Ａ内のコンセント等から供給される電力によって駆動する。
【００２７】
データ通信部２１Ａは、データ送信部３１ＡＴ及びデータ受信部３１ＡＲを有している。データ送信部３１ＡＴは、通信ネットワーク１１を介してサーバ装置１２に向けて各種のデータを送信する。データ受信部３１ＡＲは、通信ネットワーク１１を介してサーバ装置１２から各種のデータを受信する。
【００２８】
信号送受信部２２Ａは、信号送信部３２ＡＴ及び信号受信部３２ＡＲを有している。信号送信部３２ＡＴは、照明機器４Ａ及び空調機器５Ａを遠隔制御するための、赤外線を用いたリモコン信号を送信する。信号受信部３２ＡＲは、リモコン６Ａ，７Ａから送信されたリモコン信号を受信する。
【００２９】
無線通信部２３Ａは、無線送信部３３ＡＴ及び無線受信部３３ＡＲを有している。無線送信部３３ＡＴは、Ｚ−Ｗａｖｅ等の無線通信プロトコルに則した無線信号を送信する。無線受信部３３ＡＲは、Ｚ−Ｗａｖｅ等の無線通信プロトコルに則した無線信号を受信する。無線送信部３３ＡＴからの送信電波の到達範囲は住宅２の大きさ程度に設定されており、監視装置８Ａは、監視装置８Ｂとの間で無線通信を行う。
【００３０】
また、図１を参照して、ユーザが所持する携帯電話９（制御端末）にはストラップが装着されており、当該ストラップには電池駆動式の小型の通信装置１０が発信機として内蔵されている。通信装置１０からの送信電波の到達範囲は住宅２（又は部屋２Ａ）の大きさ程度に設定されており、ユーザが在宅していることにより携帯電話９が住宅２（又は部屋２Ａ）内に所在している場合には、監視装置８Ａは通信装置１０との間で無線通信を行う。一方、ユーザが携帯電話９を所持して外出していることにより携帯電話９が住宅２内に所在していない場合には、監視装置８Ａは通信装置１０との間で無線通信を行わない。なお、通信装置１０を携帯電話９のストラップに内蔵する例に限らず、外出時にユーザに携帯又は装着されることが想定される任意の物品（財布、鍵、手帳、眼鏡、入れ歯、かつら等）に通信装置１０を収容又は内蔵することもできる。
【００３１】
図５は、監視装置８Ｂのハードウェア構成を示す図である。監視装置８Ｂは、ＣＰＵ等の制御部２０Ｂ、信号送受信部２２Ｂ、無線通信部２３Ｂ、スイッチ２４Ｂ、ＣＣＤ等を用いたカメラ２５Ｂ、及びマイク２６Ｂを備えて構成されている。監視装置８Ｂは、部屋２Ｂ内のコンセント等から供給される電力によって駆動する。
【００３２】
信号送受信部２２Ｂは、信号送信部３２ＢＴ及び信号受信部３２ＢＲを有している。信号送信部３２ＢＴは、照明機器４Ｂ及び空調機器５Ｂを遠隔制御するための、赤外線を用いたリモコン信号を送信する。信号受信部３２ＢＲは、リモコン６Ｂ，７Ｂから送信されたリモコン信号を受信する。
【００３３】
無線通信部２３Ｂは、無線送信部３３ＢＴ及び無線受信部３３ＢＲを有している。無線送信部３３ＢＴは、Ｚ−Ｗａｖｅ等の無線通信プロトコルに則した無線信号を送信する。無線受信部３３ＢＲは、Ｚ−Ｗａｖｅ等の無線通信プロトコルに則した無線信号を受信する。無線送信部３３ＢＴからの送信電波の到達範囲は住宅２の大きさ程度に設定されており、監視装置８Ｂは、監視装置８Ａとの間で無線通信を行う。
【００３４】
また、図１を参照して、ユーザが在宅していることにより携帯電話９が住宅２（又は部屋２Ｂ）内に所在している場合には、監視装置８Ｂは通信装置１０との間で無線通信を行う。一方、ユーザが携帯電話９を所持して外出していることにより携帯電話９が住宅２内に所在していない場合には、監視装置８Ｂは通信装置１０との間で無線通信を行わない。
【００３５】
図６は、制御部２０Ａの機能構成を示すブロック図である。制御部２０Ａは、命令取得部４１Ａ、信号生成部４２Ａ、機器特定部４３Ａ、画像処理部４４Ａ、及びモード制御部４５Ａを有している。
【００３６】
図７は、制御部２０Ｂの機能構成を示すブロック図である。制御部２０Ｂは、信号生成部４２Ｂ、機器特定部４３Ｂ、画像処理部４４Ｂ、及びモード制御部４５Ｂを有している。
【００３７】
図６を参照して、命令取得部４１Ａは、例えば外出先の携帯電話９から送信された照明機器４Ａ，４Ｂに対する制御命令（点灯命令、消灯命令等）を、基地局１３、通信ネットワーク１１、及びデータ受信部３１ＡＲを介して取得する。また、命令取得部４１Ａは、例えば外出先の携帯電話９から送信された空調機器５Ａ，５Ｂに対する制御命令（電源オン命令、電源オフ命令、温度設定命令等）を、基地局１３、通信ネットワーク１１、及びデータ受信部３１ＡＲを介して取得する。命令取得部４１Ａが取得した制御命令は、命令取得部４１Ａから信号生成部４２Ａに入力される。
【００３８】
信号生成部４２Ａは、命令取得部４１Ａから入力された制御命令の内容に応じたリモコン信号を生成する。具体的には、照明機器４Ａ，４Ｂ及び空調機器５Ａ，５Ｂの各々の制御内容に応じたリモコン信号に関するデータ（フォーマット及びコード等。以下「リモコンデータ」と称す）が、図４に示した記憶部２７Ａに記憶されている。信号生成部４２Ａは、命令取得部４１Ａから入力された制御命令の内容に応じたリモコンデータを、記憶部２７Ａから読み出す。
【００３９】
また、信号生成部４２Ａは、命令取得部４１Ａから入力された制御命令が照明機器４Ａ又は空調機器５Ａを対象とする命令である場合には、記憶部２７Ａから読み出したリモコンデータに基づいて、照明機器４Ａ又は空調機器５Ａを制御するための赤外線のリモコン信号を生成し、生成したリモコン信号を信号送信部３２ＡＴから送信する。これにより、携帯電話９から送信された制御命令の内容に応じて照明機器４Ａ又は空調機器５Ａの動作が制御される。なお、同様の手法によって、外出先の携帯電話９からテレビ３Ａの動作を制御することもできる。
【００４０】
一方、信号生成部４２Ａは、命令取得部４１Ａから入力された制御命令が照明機器４Ｂ又は空調機器５Ｂを対象とする命令である場合には、記憶部２７Ａから読み出したリモコンデータを無線送信部３３ＡＴから監視装置８Ｂに向けて送信する。図７を参照して、無線送信部３３ＡＴから送信されたリモコンデータは、無線受信部３３ＢＲによって受信された後、信号生成部４２Ｂに入力される。信号生成部４２Ｂは、入力されたリモコンデータに基づいて、照明機器４Ｂ又は空調機器５Ｂを制御するための赤外線のリモコン信号を生成し、生成したリモコン信号を信号送信部３２ＢＴから送信する。これにより、携帯電話９から送信された制御命令の内容に応じて照明機器４Ｂ又は空調機器５Ｂの動作が制御される。なお、同様の手法によって、外出先の携帯電話９からテレビ３Ｂの動作を制御することもできる。
【００４１】
ここで、照明機器や空調機器等の電気機器としては、様々なメーカから様々な製品が販売されており、製品によってリモコン信号のフォーマットやコード等が異なる。そのため、監視装置８Ａ，８Ｂから送信されるリモコン信号によって照明機器４Ａ，４Ｂ及び空調機器５Ａ，５Ｂの動作を制御するためには、住宅２内に設置されている電気機器の種別（メーカ名や型番等）を特定し、特定した種別に応じたリモコン信号を生成する必要がある。以下、住宅２内に設置されている電気機器を特定する手法について説明する。
【００４２】
図８は、記憶部２７Ａの記憶内容を示す図である。記憶部２７Ａには、様々な電気機器に関する複数のリモコンデータＱが登録されている。例えば、監視装置８Ａの出荷時点において既知である全ての照明機器及び空調機器に関するリモコンデータＱが、記憶部２７Ａに登録されている。
【００４３】
監視装置８Ａのスイッチ２４Ａが長押しされること等によって、監視装置８Ａは、部屋２Ａ内に設置されている電気機器を特定するための処理を開始する。
【００４４】
機器特定部４３Ａは、記憶部２７Ａに登録されている全てのリモコンデータＱを読み出し、各リモコンデータＱに基づいて信号生成部４２Ａで生成したリモコン信号を、図８の矢印Ｙ１で示すように信号送信部３２ＡＴから一定の微小な時間間隔Ｔ１で連続的に送信する。
【００４５】
照明機器４Ａに関するリモコンデータが記憶部２７Ａに登録されていた場合には、当該リモコンデータに対応するリモコン信号が信号送信部３２ＡＴから送信されたタイミングで、照明機器４Ａは何らかの応答をする。例えば、点灯命令に関するリモコン信号が送信されたタイミングで、照明機器４Ａが点灯する。従って、機器特定部４３Ａは、照明機器４Ａの点灯に伴って部屋２Ａの照度が変化したことをカメラ２５Ａの撮像画像に基づいて検知することにより、応答検知の直前に照明機器４Ａに対応するリモコン信号が信号送信部３２ＡＴから送信されたことを検出することができる。つまり、図８に示すように、応答検知タイミングの直前数秒間の範囲Ｒに、部屋２Ａ内の照明機器４Ａに対応するリモコンデータが含まれていることを検出する。
【００４６】
そこで次に機器特定部４３Ａは、範囲Ｒに含まれるリモコンデータＱを読み出し、各リモコンデータＱに基づいて信号生成部４２Ａで生成したリモコン信号を、図８の矢印Ｙ２で示すように信号送信部３２ＡＴから一定の時間間隔Ｔ２（時間間隔Ｔ１より長い間隔。例えば数秒間隔）で連続的に送信する。そして、上記と同様に照度変化等に基づいて照明機器の応答を検知することにより、部屋２Ａ内に設置されている照明機器４Ａを特定する。
【００４７】
また、空調機器５Ａに関するリモコンデータが記憶部２７Ａに登録されていた場合には、当該リモコンデータに対応するリモコン信号が信号送信部３２ＡＴから送信されたタイミングで、空調機器５Ａは何らかの応答をする。例えば、電源オン命令に関するリモコン信号が送信されたタイミングで、空調機器５Ａから「ピッ」という応答音が発生する。従って、機器特定部４３Ａは、発生した応答音をマイク２６Ａによって検知することにより、応答検知の直前に空調機器５Ａに対応するリモコン信号が信号送信部３２ＡＴから送信されたことを検出することができる。つまり、図８に示すように、応答検知タイミングの直前数秒間の範囲Ｒに、部屋２Ａ内の空調機器５Ａに対応するリモコンデータが含まれていることを検出する。
【００４８】
そこで次に機器特定部４３Ａは、範囲Ｒに含まれるリモコンデータＱを読み出し、各リモコンデータＱに基づいて信号生成部４２Ａで生成したリモコン信号を、図８の矢印Ｙ２で示すように信号送信部３２ＡＴから一定の時間間隔Ｔ２で連続的に送信する。そして、上記と同様に応答音等に基づいて空調機器の応答を検知することにより、部屋２Ａ内に設置されている空調機器５Ａを特定する。
【００４９】
なお、監視装置８Ｂは、監視装置８Ａと同様の手法によって、部屋２Ｂ内に設置されている照明機器４Ｂ及び空調機器５Ｂを特定することができる。その際、信号生成部４２Ａは、記憶部２７Ａから読み出した複数のリモコンデータＱを、無線送信部３３ＡＴから監視装置８Ｂに向けて送信する。当該リモコンデータＱは無線受信部３３ＢＲによって受信された後、機器特定部４３Ｂに入力される。機器特定部４３Ｂは、各リモコンデータＱに基づいて信号生成部４２Ｂで生成したリモコン信号を、信号送信部３２ＢＴから連続的に送信する。そして、上記と同様に、電気機器の応答をカメラ２５Ｂ及びマイク２６Ｂによって検知することにより、部屋２Ｂ内に設置されている照明機器４Ｂ及び空調機器５Ｂを特定する。機器特定部４３Ｂは、照明機器４Ｂ及び空調機器５Ｂの特定結果を、無線送信部３３ＢＴから監視装置８Ａに向けて送信する。
【００５０】
また、監視装置８Ａと照明機器４Ａ又は空調機器５Ａとの位置関係次第では、信号送信部３２ＡＴから送信したリモコン信号が照明機器４Ａ又は空調機器５Ａによって受信されず、監視装置８Ａからのリモコン信号の連続送信によっては電気機器の特定が困難な状況が生じ得る。そこで、リモコン信号の連続送信による電気機器の特定処理が失敗した場合には、監視装置８ＡのＬＥＤ（図示しない）等を用いてエラーを報知する。
【００５１】
例えば空調機器５Ａの特定処理が失敗した場合には、ユーザは、リモコン７Ａの赤外線送信部を監視装置８Ａに向けて、リモコン７Ａからリモコン信号を送信する。当該リモコン信号は信号受信部３２ＡＲによって受信された後、信号受信部３２ＡＲから機器特定部４３Ａに入力される。機器特定部４３Ａは、記憶部２７Ａから全てのリモコンデータＱを読み出し、信号受信部３２ＡＲから入力されたリモコン信号に関するリモコンデータと、記憶部２７Ａから読み出したリモコンデータＱとを比較することにより、空調機器５Ａの種別を特定する。つまり、記憶部２７Ａから読み出したリモコンデータＱの中に、信号受信部３２ＡＲから入力されたリモコン信号に関するリモコンデータと一致するものがある場合には、機器特定部４３Ａはその比較結果に基づいて空調機器５Ａの種別を特定する。
【００５２】
なお、監視装置８Ｂは、監視装置８Ａと同様の手法によって、部屋２Ｂ内に設置されている照明機器４Ｂ及び空調機器５Ｂを特定することができる。例えば、リモコン信号の連続送信による空調機器５Ｂの特定処理が失敗した場合には、ユーザは、リモコン７Ｂの赤外線送信部を監視装置８Ｂに向けて、リモコン７Ｂからリモコン信号を送信する。当該リモコン信号は信号受信部３２ＢＲによって受信された後、信号受信部３２ＢＲから機器特定部４３Ｂに入力される。機器特定部４３Ｂは、信号受信部３２ＢＲから入力されたリモコン信号に関するリモコンデータと、監視装置８Ａから受信した、記憶部２７Ａに登録されているリモコンデータＱとを比較することにより、空調機器５Ｂの種別を特定する。機器特定部４３Ｂは、空調機器５Ｂの特定結果を、無線送信部３３ＢＴから監視装置８Ａに向けて送信する。
【００５３】
ここで、例えば空調機器５Ａが監視装置８Ａよりも後に発売された最新の機器である場合等には、空調機器５Ａのリモコンデータは記憶部２７Ａに登録されていないため、信号受信部３２ＡＲから入力されたリモコン信号に関するリモコンデータは、記憶部２７Ａから読み出したリモコンデータＱに一致しない。従ってこの場合には、機器特定部４３Ａは、信号受信部３２ＡＲから入力されたリモコン信号に関するリモコンデータを、データ送信部３１ＡＴから通信ネットワーク１１を介してサーバ装置１２に向けて送信する。
【００５４】
サーバ装置１２は、その時点で最新のリモコンデータを全て保持しており、監視装置８Ａから受信したリモコンデータに対応する電気機器は空調機器５Ａであることを特定する。サーバ装置１２は、特定した空調機器５Ａの種別に関するデータ（メーカ名、型番、空調機器５Ａのオン／オフ等の動作を制御するためのリモコンデータ等）を、通信ネットワーク１１を介して監視装置８Ａに向けて送信する。サーバ装置１２から送信されたデータは、データ受信部３１ＡＲによって受信された後、データ受信部３１ＡＲから機器特定部４３Ａに入力される。機器特定部４３Ａは、当該データに基づいて部屋２Ａ内に設置されている空調機器５Ａを特定するとともに、空調機器５Ａに関するリモコンデータを記憶部２７Ａに登録する。なお、サーバ装置１２が電気機器の特定を行う代わりに、監視装置８Ａが最新のリモコンデータをサーバ装置１２からダウンロードして記憶部２７Ａの記憶内容を更新することによって、機器特定部４３Ａが電気機器の特定を行ってもよい。また、最新のリモコンデータのダウンロードは、監視装置８Ａによって定期的に行ってもよい。
【００５５】
なお、同様の手法によって、部屋２Ｂ内に設置されている照明機器４Ｂ及び空調機器５Ｂを特定することもできる。例えば空調機器５Ｂが監視装置８Ａよりも後に発売された最新の機器である場合等には、機器特定部４３Ｂは、信号受信部３２ＢＲから入力されたリモコンデータを、無線送信部３３ＢＴから監視装置８Ａに向けて送信する。当該リモコンデータは、無線受信部３３ＡＲによって受信された後、機器特定部４３Ａに入力される。機器特定部４３Ａは、無線受信部３３ＡＲから入力されたリモコンデータを、データ送信部３１ＡＴからサーバ装置１２に向けて送信する。サーバ装置１２は、監視装置８Ａから受信したリモコンデータに対応する電気機器は空調機器５Ｂであることを特定し、空調機器５Ｂの種別に関するデータを監視装置８Ａに向けて送信する。サーバ装置１２から送信されたデータは、データ受信部３１ＡＲによって受信された後、機器特定部４３Ａに入力される。機器特定部４３Ａは、当該データに基づいて部屋２Ｂ内に設置されている空調機器５Ｂを特定するとともに、空調機器５Ｂに関するリモコンデータを記憶部２７Ａに登録する。
【００５６】
さて次に、監視装置８Ａ，８Ｂによる部屋２Ａ，２Ｂの監視動作について説明する。
【００５７】
図６，７を参照して、モード制御部４５Ａ，４５Ｂは、監視装置８Ａ，８Ｂの動作モードを、監視エリアの監視を行う監視モード及び監視エリアの監視を行わない監視解除モードのいずれかに設定する。モード制御部４５Ａ，４５Ｂによる動作モードの設定手法については後述する。
【００５８】
監視装置８Ａ，８Ｂが監視モードに設定されている場合には、監視エリアである部屋２Ａ，２Ｂ内の様子がカメラ２５Ａ，２５Ｂによって撮影される。カメラ２５Ａによって撮影された部屋２Ａの画像（動画でも静止画でもよい）は画像処理部４４Ａに入力され、画像処理部４４Ａは、入力された部屋２Ａの画像を、データ送信部３１ＡＴから通信ネットワーク１１を介してサーバ装置１２に向けて送信する。また、カメラ２５Ｂによって撮影された部屋２Ｂの画像（動画でも静止画でもよい）は画像処理部４４Ｂに入力され、画像処理部４４Ｂは、入力された部屋２Ｂの画像を、無線送信部３３ＢＴから監視装置８Ａに向けて送信する。送信された部屋２Ｂの画像は、無線受信部３３ＡＲによって受信された後、画像処理部４４Ａに入力される。画像処理部４４Ａは、監視装置８Ｂから受信した部屋２Ｂの画像を、データ送信部３１ＡＴから通信ネットワーク１１を介してサーバ装置１２に向けて送信する。サーバ装置１２は、監視装置８Ａから受信した部屋２Ａ，２Ｂの画像を保存する。
【００５９】
監視装置８Ａからサーバ装置１２への画像の送信は、通信データ量の削減のために、一定の時間間隔で定期的に行われる。例えば、１時間毎に撮影した部屋２Ａ，２Ｂの画像が、監視装置８Ａから通信ネットワーク１１を介してサーバ装置１２に向けて送信され、サーバ装置１２は当該画像を保存する。サーバ装置１２は、監視装置８Ａから画像が送信されてくる度に当該画像を保存し、これにより、部屋２Ａ，２Ｂの過去の画像がサーバ装置１２に蓄積される。
【００６０】
携帯電話９は、基地局１３及び通信ネットワーク１１を介してサーバ装置１２にアクセスすることにより、サーバ装置１２に保存されている画像をダウンロードすることができる。ダウンロードした画像は、携帯電話９のディスプレイに表示される。これにより、ユーザは、外出先から部屋２Ａ，２Ｂの様子を確認することができる。
【００６１】
また、部屋２Ａ，２Ｂのリアルタイムの画像を携帯電話９のディスプレイに表示することもできる。ユーザは、携帯電話９からサーバ装置１２にアクセスすることにより、監視エリアのリアルタイムの画像を要求する。サーバ装置１２は、監視装置８Ａに対して監視エリアの現在の画像を要求する。監視装置８Ａは、カメラ２５Ａによって部屋２Ａの現在の画像を撮影するとともに、カメラ２５Ｂによって部屋２Ｂの現在の画像を撮影させる撮影命令を、無線送信部３３ＡＴから監視装置８Ｂに送信する。監視装置８Ｂは、撮影命令を受信することにより、カメラ２５Ｂによって部屋２Ｂの現在の画像を撮影する。上記と同様に監視装置８Ａは、カメラ２５Ａ，２５Ｂによって撮影された部屋２Ａ，２Ｂの現在の画像を、通信ネットワーク１１を介してサーバ装置１２に向けて送信する。サーバ装置１２は、監視装置８Ａから受信した部屋２Ａ，２Ｂの現在の画像を、通信ネットワーク１１及び基地局１３を介して携帯電話９に向けて送信する。これにより、部屋２Ａ，２Ｂのリアルタイムの画像が携帯電話９のディスプレイに表示される。
【００６２】
監視装置８Ａ，８Ｂが監視解除モードに設定されている場合には、カメラ２５Ａ，２５Ｂによる部屋２Ａ，２Ｂの撮影は行われず、監視装置８Ａからサーバ装置１２への画像の送信は行われない。但し、監視装置８Ａ，８Ｂが監視解除モードに設定されている場合であっても、カメラ２５Ａ，２５Ｂによる部屋２Ａ，２Ｂの撮影を行ってもよい。この場合、監視装置８Ａからサーバ装置１２への画像の送信は行わず、撮影した画像は記憶部２７Ａに保存される。
【００６３】
以下、モード制御部４５Ａ，４５Ｂによる監視装置８Ａ，８Ｂの動作モードの設定手法について説明する。
【００６４】
上記の通り、携帯電話９が住宅２内に所在している場合には、監視装置８Ａ又は監視装置８Ｂは通信装置１０との間で無線通信を行い、一方、携帯電話９が住宅２内に所在していない場合には、監視装置８Ａ及び監視装置８Ｂは通信装置１０との間で無線通信を行わない。
【００６５】
具体的には、携帯電話９が部屋２Ａ内に所在している場合には、通信装置１０からの送信電波は無線受信部３３ＡＲによって受信される。無線受信部３３ＡＲは、通信装置１０からの送信電波を受信していることを示す信号（以下「電波受信信号」と称す）を、モード制御部４５Ａに入力する。
【００６６】
また、携帯電話９が部屋２Ｂ内に所在している場合には、通信装置１０からの送信電波は無線受信部３３ＢＲによって受信される。無線受信部３３ＡＲは、電波受信信号をモード制御部４５Ｂに入力する。モード制御部４５Ｂは、当該電波受信信号を無線送信部３３ＢＴから監視装置８Ａに向けて送信する。当該電波受信信号は無線受信部３３ＡＲによって受信された後、無線受信部３３ＡＲからモード制御部４５Ａに入力される。
【００６７】
モード制御部４５Ａは、携帯電話９が部屋２Ａ又は部屋２Ｂ内に所在していることにより無線受信部３３ＡＲから電波受信信号が入力されている場合には、ユーザが在宅していると判定して監視装置８Ａ，８Ｂを監視解除モードに設定する。一方、携帯電話９が部屋２Ａ及び部屋２Ｂ内に所在していないことにより無線受信部３３ＡＲから電波受信信号が入力されていない場合には、ユーザが外出していると判定して監視装置８Ａ，８Ｂを監視モードに設定する。
【００６８】
モード制御部４５Ａは、動作モードの設定情報を、画像処理部４４Ａに入力するとともに、無線送信部３３ＡＴから監視装置８Ｂに向けて送信する。送信された当該設定情報は無線受信部３３ＢＲによって受信された後、無線受信部３３ＢＲからモード制御部４５Ｂに入力される。モード制御部４５Ｂは、当該設定情報を画像処理部４４Ｂに入力する。
【００６９】
なお、携帯電話９が住宅２内に所在している場合であっても、通信装置１０の電池切れ等によって監視装置８Ａ，８Ｂが通信装置１０と無線通信を行わない状況も想定される。従って、通信装置１０の電池の電圧値をモニタする電圧モニタ回路を通信装置１０内に実装し、当該電圧値が所定値未満に低下した場合には、通信装置１０から監視装置８Ａにその旨を通知するように制御してもよい。通知を受けた監視装置８Ａは、電池交換を促すメッセージを記述したＥ−ｍａｉｌを携帯電話９に向けて送信し、当該メッセージが携帯電話９のディスプレイに表示される。
【００７０】
また、ユーザが携帯電話９を住宅２内に置き忘れて外出する状況も想定される。従って、外出時にユーザに携帯又は装着されることが想定される複数の物品（例えば携帯電話と財布）に通信装置１０をそれぞれ収容又は内蔵し、監視装置８Ａ，８Ｂが少なくとも一つの通信装置１０と無線通信をしていない場合には監視モードに設定し、監視装置８Ａ，８Ｂが全ての通信装置１０と無線通信をしている場合には監視解除モードに設定するように制御してもよい。
【００７１】
また、住宅２に複数のユーザが居住している場合には、通信装置１０は、各ユーザが所持する携帯電話９にそれぞれ装着される。いずれかのユーザが在宅している場合には、当該ユーザの所持する携帯電話９は住宅２内に所在しているため、モード制御部４５Ａには無線受信部３３ＡＲから電波受信信号が入力される。従って、モード制御部４５Ａは、監視装置８Ａ，８Ｂを監視解除モードに設定する。一方、全てのユーザが外出している場合には、全ての携帯電話９は住宅２内に所在していないため、モード制御部４５Ａには無線受信部３３ＡＲから電波受信信号が入力されない。従って、モード制御部４５Ａは、監視装置８Ａ，８Ｂを監視モードに設定する。
【００７２】
このように本実施の形態に係るセキュリティシステム１によれば、監視装置８Ａは、モード制御部４５Ａによって監視モードに設定されることにより、カメラ２５Ａによって撮像した画像を、データ通信部２１Ａから通信ネットワーク１１を介してサーバ装置１２に送信する。これにより、携帯電話９（制御端末）は、監視エリアの画像をサーバ装置１２から取得して当該画像をディスプレイに表示可能となる。このように、監視装置８Ａが監視エリアの画像をサーバ装置１２に送信し、ユーザは携帯電話９を用いて当該画像をサーバ装置１２から取得する、という簡易なシステム構成とすることにより、警備センタの設置や警備員の常駐等が不要となるため、運営コストを削減することができる。その結果、ユーザは低料金でセキュリティシステム１を導入・使用することが可能となる。また、警備センタの設置が不要となるため、警備センタの設置箇所の状況によってサービスの提供可能エリアが限定されることはない。その結果、ユーザの住宅の所在地等に拘わらずサービスを提供することが可能となる。また、監視装置８Ａは、モード制御部４５Ａによって監視解除モードに設定されることにより、データ通信部２１Ａによるサーバ装置１２への画像の送信を停止する。従って、ユーザが自宅に所在している時には監視解除モードに設定することにより、在宅中のユーザの画像がサーバ装置１２へ送信されることを回避できるため、ユーザのプライバシーを保護することが可能となる。
【００７３】
また、本実施の形態に係るセキュリティシステム１によれば、携帯電話９は、カメラ２５Ａが撮像しているリアルタイムの画像を、サーバ装置１２から取得可能である。従って、ユーザは、自宅内の様子を携帯電話９によってリアルタイムで閲覧することができるため、自宅に不審者が侵入しているか否かを事前に確認してから帰宅することができる。
【００７４】
また、本実施の形態に係るセキュリティシステム１によれば、携帯電話９は、サーバ装置１２に蓄積されている過去の画像を、サーバ装置１２から取得可能である。従って、ユーザは、自宅に不審者が侵入した形跡がある場合には、不審者が撮影されている過去の画像をサーバ装置１２から取得して警察等の捜査機関に提出することができ、捜査機関は当該画像を不審者の捜査に利用することができる。また、ユーザは、サーバ装置１２に蓄積されている過去の画像を帰宅前に閲覧することにより、留守中の自宅に不審者が侵入したか否かを確認することができ、不審者を確認した場合には、帰宅時に警察等に同行を求めることができる。
【００７５】
また、本実施の形態に係るセキュリティシステム１によれば、モード制御部４５Ａは、無線通信部２３Ａが通信装置１０との間で無線通信を行っていることにより監視解除モードに設定し、無線通信部２３Ａが通信装置１０との間で無線通信を行っていないことにより監視モードに設定する。従って、ユーザが外出時に常に自宅から持ち出す物に通信装置１０を取り付けることにより（例えば、小型の通信装置を埋め込んだストラップを携帯電話９に装着する、カード型の小型の通信装置を財布に収納する、あるいは眼鏡のフレームに小型の通信装置を埋め込む等）、外出時には自動的に監視モードに設定され、帰宅時には自動的に監視解除モードに設定される。従って、外出や帰宅の度にユーザが手動で動作モードを切り換える必要がないため、ユーザの利便性を向上することができる。
【００７６】
また、本実施の形態に係るセキュリティシステム１によれば、監視装置８Ａはフォトフレームの外観形状を有する。従って、ユーザの自宅に侵入した不審者は監視装置８Ａの存在に気付きにくいため、不審者によって監視装置８Ａが破壊される事態を回避することができる。また、監視装置８Ａの設置に伴って部屋の美観が損なわれることを回避することができる。
【００７７】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００７８】
１  セキュリティシステム
２Ａ  部屋
４Ａ  照明機器
５Ａ  空調機器
６Ａ，７Ａ  リモコン
８Ａ  監視装置
９  携帯電話
１０  通信装置
２１Ａ  データ通信部
２２Ａ  信号送受信部
２３Ａ  無線通信部
２５Ａ  カメラ
２６Ａ  マイク
２７Ａ  記憶部
４１Ａ  命令取得部
４２Ａ  信号生成部
４３Ａ  機器特定部
４４Ａ  画像処理部
４５Ａ  モード制御部
【図１】
2012150592.tif 000003
【図２】
2012150592.tif 000004
【図３】
2012150592.tif 000005
【図４】
2012150592.tif 000006
【図５】
2012150592.tif 000007
【図６】
2012150592.tif 000008
【図７】
2012150592.tif 000009
【図８】
2012150592.tif 000010